(57)【要約】  空気調和機本体１０の前面側下部から本体１０内に空気を流入させる吸込開口部を有する下方吸込口２ａと、本体内の空気を本体の上方に流出させる吹出開口部を有する吹出口３と、本体内にあって空気調和を行う熱交換器９と、本体内にあって、本体内に流入させた空気を、熱交換器９を通過させて吹出口３に導く流れを形成する貫流ファン７と、本体の高さ方向において熱交換器９よりも下側に位置し、結露に係る水を受けるドレンパン１１と、外部に向けて傾斜しないような形状で本体内の吹出口３の下部に配置した下部ディフューザー３ａとを備え、貫流ファン７は、本体の高さ方向において吹出口３よりも下に、奥行き方向において本体中心よりも背面側の位置に設置し、熱交換器９は、前面側熱交換器９ｂと背面側熱交換器９ｃとの各下端部が接するＶ字形状に形成し、貫流ファン７が前面側熱交換器９ｂと背面側熱交換器９ｃとの間に位置するように設置するものである。
2013150568.tif 000002
【特許請求の範囲】
【請求項１】
本体の前面側下部から本体内に空気を流入させる吸込開口部を有する下方吸込口と、
前記本体内の空気を前記本体の上方に流出させる吹出開口部を有する吹出口と、
前記本体内にあって空気調和を行う熱交換器と、
前記本体内にあって、前記本体内に流入させた空気を、前記熱交換器を通過させて前記吹出口に導く流れを形成する貫流ファンと、
前記本体の高さ方向において前記熱交換器よりも下側に位置し、結露に係る水を受けるドレンパンと、
前記本体内の前記吹出口下部で前記吹出口に向けない方向となるように配置した下部ディフューザーとを備え、
前記貫流ファンは、前記本体の高さ方向において前記吹出口よりも下に、奥行き方向において本体中心よりも背面側の位置に設置し、
前記熱交換器は、前記前面側に設置した前面側熱交換器と背面側に設置した背面側熱交換器との各下端部が接するＶ字形状に形成し、前記貫流ファンが前記前面側熱交換器と前記背面側熱交換器との間に位置するように設置する床置き型空気調和機。
【請求項２】
前記本体前面を覆う前面パネルにおいて、前記下方吸込口と前記吸込口との間に、前記本体内に空気を流入させる開口部を有する前面吸込口をさらに備え、
前記本体の高さ方向において、前記貫流ファンの回転軸中心と前記熱交換器の下端部との距離が前記貫流ファンの外径の４倍以下である請求項１記載の床置き型空気調和機。
【請求項３】
前記本体の高さ方向において、前記貫流ファンの外周円における上端及び下端の範囲内に前記前面吸込口の前記開口部が位置する請求項２記載の床置き型空気調和機。
【請求項４】
前記前面吸込口は、前記開口部の下部から前記本体内に略水平に伸びた後、上方に湾曲し前面パネル壁面と対向して上方に伸びる導風壁をさらに有する請求項２又は３記載の床置き型空気調和機。
【請求項５】
前記前面側熱交換器において前記空気が通過する面積が前記背面側熱交換器において前記空気が通過する面積よりも大きい請求項１〜４のいずれか一項に記載の床置き型空気調和機。
【請求項６】
前記本体の高さ方向において、前記下方吸込口の上端位置が、前記ドレンパンの下端よりも下方に位置する請求項１〜５のいずれか一項に記載の床置き型空気調和機。
【請求項７】
前記本体のファン上流背面側壁に、脱着可能なフィルタ及び吸込開口部を有する背面パネルをさらに備える請求項１〜６のいずれか一項に記載の床置き型空気調和機。
【請求項８】
前記本体内において、前記ドレンパンよりも前面側に形成されて前記前面側熱交換器に流入する空気の風路となる前面側風路の開口部である前面側開口部と
前記ドレンパンよりも背面側に形成されて前記背面側熱交換器に流入する空気の風路となる背面側風路の開口部である背面側開口部とが、
前記前面側開口部と前面側壁面との最近接距離＞前記背面側開口部と背面側壁面との最近接距離の関係にある請求項１〜７のいずれか一項に記載の床置き型空気調和機。
【請求項９】
前記下方吸込口の開口部は、前記本体の下面まで開口し、前記本体の左右側面下部に前記本体を支えるアーチ状の土台をさらに備える請求項１〜８のいずれか一項に記載の床置き型空気調和機。
【請求項１０】
前記下部ディフューザーは、空気の流れにおいて下流側となる端部に凹部を有する請求項１〜９のいずれか一項に記載の床置き型空気調和機。
【請求項１１】
前記下方吸込口から前記前面側熱交換器に流入する空気の集塵を行う前面側フィルタと、
該前面側フィルタよりも目が細かく集塵率が高く、前記下方吸込口から前記背面側熱交換器に流入する空気の集塵を行う背面側フィルタと
をさらに備える請求項１〜１０のいずれか一項に記載の床置き型空気調和機。
【請求項１２】
奥行き方向における重心の位置が略中央となるように前記本体内の機器を構成する請求項１〜１１のいずれか一項に記載の床置き型空気調和機。
【請求項１３】
前記前面パネルはフラットパネルである請求項１〜１２のいずれか一項に記載の床置き型空気調和機。
【発明の詳細な説明】
【技術分野】
【０００１】
この発明は、床置き型空気調和機に関するものである。
【背景技術】
【０００２】
例えば、室内の床に置く等して空気調和した空気を送り出す吹出口を本体の高さ方向上部に有する床置き型空気調和機（室内機）がある。従来の床置き型空気調和機の一例として、熱交換器上部が本体前面側、熱交換器下部を本体背面側に傾斜するように、平板状の熱交換器を傾斜配置し、吸込グリルのピッチをファンの回転中心から近いほど密に、遠いほど疎とするように構成したものがある（例えば特許文献１参照）。【０００３】
また、他の一例として、熱交換器下部のドレンパンがキャビネットと一体成形され、キャビネットの上部に吹出口を備え、熱交換器は板状で前面側が床面に向かうように下方へ傾斜し、吸込口が吹出口の下側に配置され、吸込口は床に向かうように下方に傾斜し、ファンはキャビネットの高さの半分より高くなる位置に配設したものがある（例えば特許文献２参照）。【０００４】
一方、ファンがユニットの上方に、Ｖ字型熱交換器がファンの下方に配設され、ユニット前面上部に吹出口、下方に吸込口を有する空気調和機がある（例えば特許文献３参照）。
【先行技術文献】
【特許文献】
【０００５】
【特許文献１】特開２０１１−０５８６９５号公報（３ページ、図１、図２）
【特許文献２】特開２０１１−２３７０５８号公報（４ページ、図１）
【特許文献３】特開平６−２７２８８４号公報（５ページ、図２）
【発明の概要】
【発明が解決しようとする課題】
【０００６】
上記の特許文献１の空気調和機は、例えば、平板状の熱交換器を傾斜設置するので、例えば、能力を上げるために熱交換器面積を確保しようとする場合には、空気調和機本体の高さ方向に長くする。このため、大型化することになり、床置き型空気調和機の設置位置として通常多く見られる出窓や腰窓の下のスペースに設置した場合、窓を覆う恐れがあり、設置制約が生じるため施工性が悪化する。【０００７】
また、特許文献２の空気調和機では、例えば、
（１）板状の熱交換器が傾斜配置され、熱交換器からファンまでの風路壁となるキャビネット背面側が長くなることで、冷風がキャビネット背面側に触れる、または流れが不安定なため壁面で着露してしまうため、露回収経路を別途設ける必要がある。
（２）吸込口が吹出口の下側に配置され、吸込口は床に向かうように下方に傾斜し、ファンはキャビネットの高さの半分より高くなる位置に配設しているので、床からの空気は吸い込みやすく上昇気流を容易に発生させることができる。ただ、単純にキャビネット上方だけではファンが重量物、かつ回転駆動するため、振動などより空気調和機本体が揺さぶられて揺動運動し不安定となる。このため、空気調和機本体の背面側で固定されていない場合は転倒する可能性があり、また振動騒音が大きく発生してしまう場合がある。【０００８】
さらに、特許文献３の空気調和機は、例えば、ユニットの前面上部に吹出口があり、上方に空気を吹き出すことができない構造である。このため、単に床置き型として利用する場合に、例えば、暖房時において上方に吹き出すことで部屋全体で空気を循環させることができない。また、前面に吹き出した風が直接人に当たり不快感をあたえることがある。【０００９】
この発明は、上記のような課題を解決するためになされたもので、本体の大きさに対する能力を高くし、安定した床置き型空気調和機を得るものである。
【課題を解決するための手段】
【００１０】
本発明に係る床置き型空気調和機は、本体の前面側下部から本体内に空気を流入させる吸込開口部を有する下方吸込口と、本体内の空気を本体の上方に流出させる吹出開口部を有する吹出口と、本体内にあって空気調和を行う熱交換器と、本体内にあって、本体内に流入させた空気を、熱交換器を通過させて吹出口に導く流れを形成する貫流ファンと、本体の高さ方向において熱交換器よりも下側に位置し、結露に係る水を受けるドレンパンと、本体内の吹出口の下部で吹出口に向けない方向となるように配置した下部ディフューザーとを備え、貫流ファンは、本体の高さ方向において吹出口よりも下に、奥行き方向において本体中心よりも背面側の位置に設置し、熱交換器は、前面側に設置した前面側熱交換器と背面側に設置した背面側熱交換器との各下端部が接するＶ字形状に形成し、貫流ファンが前面側熱交換器と背面側熱交換器との間に位置するように設置するものである。
【発明の効果】
【００１１】
本発明の床置き型空気調和機によれば、貫流ファンをユニット背面側に配置するようにしたので、前面側への転倒を防止し、また、安定して床置きすることができる。また、安定しておくことができるため、運転時のファン駆動による振動を抑えることができ、例えば室内の振動伝達音を抑制することができる。また、熱交換器を前面側熱交換器及び背面側熱交換器でＶ字形状に構成することで、平板形状の熱交換器を配設する場合よりも本体高さを抑えつつ、熱交換器面積を大きくして熱交換性能を向上することができる。したがって、省エネルギーをはかることができる。また、ドレンパンにより流入した空気を分岐して、前面側熱交換器及び背面側熱交換器にそれぞれ空気を流入させることができるので、空気の偏流を抑制することができ、ファン吸込分布を均一にすることができる。このため、低騒音をはかることができる。また、ファンモータのトルクを低減することができ、省エネルギーをはかることができる。
【図面の簡単な説明】
【００１２】
【図１】この発明の実施の形態１における床置き型空気調和機の設置概要を示す図である。
【図２】この発明の実施の形態１における空気調和機縦断面を示す図である。
【図３】この発明の実施の形態２における空気調和機縦断面を示す図である。
【発明を実施するための形態】
【００１３】
実施の形態１．
以下、この発明に係る実施の形態１における空気調和機を、図を用いて説明する。
図１はこの発明の実施の形態１における床置き型空気調和機を部屋から見たときの設置概要を示す図である。また、図２はこの発明の実施の形態１の空気調和機本体の正面視横長方向略中央付近における貫流ファンの回転軸に直交する縦断面を示す図である。
【００１４】
図１のように、空気調和機本体１は正面視で横長の直方体の形態である。空気調和機本体１は床１０ａに置かれ、空気調和機本体１の本体背面１ｄ側を覆う背面取付板５と部屋１０の壁１０ｂとが固定されている。空気調和機本体１には、本体正面（本体前面）１ａの上部から本体上面１ｃにかけて開口する吹出開口部を有する吹出口３が形成されている。そして、吹出口３には空気調和機本体１内から吹き出す空気の流れを制御する風向ベーン４が配設されている。また、空気調和機本体１の本体正面１ａの前面パネル６の下部には、床１０ａと対向するように空気調和機本体１の下面１ｅまで開口する吸込開口部を有する下方吸込口２ａが形成されている。空気調和機本体１の両端部にはアーチ状に土台１ｆが形成されている。そして、本体正面１ａにおいて、吹出口３より下方で、下方吸込口２ａより上部の位置には前面吸込口２ｂが形成されている。ここで、下方吸込口２ａ、前面吸込口２ｂ等を特に限定しない場合には吸込口２とする。また、前面パネル６は、格子が少ない（無い）フラットパネルであるものとする。このため、埃等が付いても除去しやすく、また、空気調和機本体１の内部が見えないので意匠性を高めることができる。
【００１５】
図２において、貫流ファン７は、吸込口２から吹出口３への空気の流れを形成するための送風機となる。貫流ファン７は、空気調和機本体１内において、空気調和機本体１の横長方向に伸び配設され、高さ方向において、羽根車７ａの長手方向端部に接続されたファンモータ（図示せず）とともに空気調和機本体１の奥行方向における本体背面１ｄ側で、かつ空気調和機本体１の上方で吹出口３の下方の位置に配設される。また、貫流ファン７は羽根車７ａ、スタビライザー７ｂ、ガイドウォール７ｃ、リング７ｄ、及び翼７ｅを有している。羽根車７ａは、円板状のリング７ｄから複数の翼７ｅが伸び、櫛状に形成した複数の羽根部を連結し固着させ形成されている。スタビライザー７ｂは、吸込側風路Ｅ１と吹出側風路Ｅ２とを分離し、かつファン内部に生成される気体の循環渦を安定させる。渦巻状のガイドウォール７ｃは、スタビライザー７ｂに対向する羽根車７ａの吹出側に設けられ、羽根車７ａの回転による空気を吹出口３に導く。
【００１６】
熱交換器９は、前面側熱交換器９ｂ及び背面側熱交換器９ｃを有している。前面側熱交換器９ｂは、空気調和機本体１内において、貫流ファン７よりも前面側（本体正面１ａ側）に位置する。また、背面側熱交換器９ｃは、空気調和機本体１内において、貫流ファン７よりも背面側（本体背面１ｄ側）位置する。そして、前面側熱交換器９ｂ及び背面側熱交換器９ｃは、それぞれの下側端部において、接触又は接近してＶ字凸部９ａを形成し、下に凸の略Ｖ字形状となって、貫流ファン７を挟むように配設されている。ここで、本実施の形態の熱交換器９においては、前面側熱交換器９ｂの方が背面側熱交換器９ｃよりも空気の通過に係る面積が大きいように形成されている。
【００１７】
ドレンパン１１は、熱交換器９で生成される凝縮水を受け、一時的に貯水するものである。熱交換器９のＶ字凸部９ａ下方にあって、Ｖ字凸部９ａを覆うような凹形状で形成されている。また、前面側熱交換器９ｂ及び背面側熱交換器９ｃとに空気を流入させるため、空気調和機の奥行方向において、ドレンパン１１のドレンパン前面側側壁１１ｂと前面パネル６との間に前面側風路開口部１２ａが形成されている。さらにドレンパン１１のドレンパン背面側側壁１１ｃと空気調和機本体１の背面側風路壁面１３との間に背面側風路開口部１２ｂが形成されている。前面側風路開口部１２ａの開口最小距離であるドレンパン前面側側壁１１ｂと前面パネル６の間の最近接距離Ｃ１と、背面側風路開口部１２ｂの開口最小距離であるドレンパン背面側側壁１１ｃと背面側風路壁面１３との最近接距離Ｃ２との関係はＣ１＞Ｃ２となるようにする。このため、前面側の風路面積が大きくなるように形成されている。
【００１８】
さらに、空気調和機本体１の高さ（上下方向の長さ）を空気調和機本体高さＨとする。また、貫流ファン７の羽根車７ａにおけるファン回転軸中心Ｏと熱交換器９の下端部９ｄとの垂直距離を垂直距離Ｆとする。そして貫流ファン７（羽根車７ａ）の外径をファン外径Ｄとする。本実施の形態では、垂直距離Ｆ、ファン外径Ｄ、空気調和機本体高さＨは、それぞれ垂直距離Ｆを２８０ｍｍ、ファン外径Ｄを１１５ｍｍ、空気調和機本体高さＨを６００ｍｍとする。このとき、垂直距離Ｆはファン外径Ｄの約２．４倍となっている。ここで、垂直距離Ｆは４倍以下とすることが望ましい。これは、熱交換器９の最下端と貫流ファン７との距離が離れすぎてしまうと、最下端部分に空気が流れずに熱交換ができなくなってしまい、熱交換率が悪くなってしまうからである。
【００１９】
また、吸込口２において、例えば空気調和機を室内に設置したとき、空気調和機本体１を正面視しても、斜視しても熱交換器９及びドレンパン１１が下方吸込口２ａから見えないように、下方吸込口２ａの位置を規定する。このため、本実施の形態では、下方吸込口２ａの上端位置２ａ１がドレンパン下端１１ａよりも下方に位置させるようにしている。
【００２０】
また、前面吸込口２ｂは、空気調和機本体１の高さ方向で、前面パネル６におけるファン外周円Ｄ１に接する２つの水平接線Ｌ１、Ｌ２の間に開口するように形成されている。
このため、前面吸込口２ｂの高さ方向における開口部分は、貫流ファン７の羽根車７ａの上下端の間に位置することになる。前面吸込口２ｂには、前面パネル開口部６ａの下部から略水平に伸び、略Ｌ字状となるように上方に湾曲して前面パネル６と対向して伸びる導風壁６ｂが形成されている。また、吹出口３において、スタビライザー７ｂの吹出口下部を形成する下部ディフューザー３ａは水平形状である。そして、下流側端部３ｂには円弧状の凹部３ｃを形成している。
【００２１】
フィルタ１４は下方吸込口２ａから空気調和機本体１内に流入した空気から塵等を除く。フィルタ１４は前面側熱交換器９ｂと背面側熱交換器９ｃへの風路で別体とし、前面熱交換器側フィルタ１４ａと背面熱交換器側フィルタ１４ｂとを有しているものとする。ここで、本実施の形態では、背面熱交換器側フィルタ１４ｂの集塵率が前面熱交換器側フィルタ１４ａよりも高くなるようにしている。以上のように、各機器を空気調和機本体１内に配設することで、空気調和機の重心が、空気調和機奥行き方向の少なくとも中央付近となって安定する。
【００２２】
次に、以上のような構成の床置き型空気調和機の動作について空気の流れに基づいて説明する。図２に示すように、ファンモータの駆動により、貫流ファン７の羽根車７ａがファン回転軸中心Ｏを中心にファン回転方向（矢印Ａの方向）に回転すると、部屋１０の空気が下方吸込口２ａ、前面吸込口２ｂから空気調和機本体１内に流入する。流入した空気はフィルタ１４により除塵された後、ドレンパン１１により前面側風路開口部１２ａ側と背面側風路開口部１２ｂ側とに分流され、それぞれ前面側熱交換器９ｂ、背面側熱交換器９ｃを通過する。通過に際し、前面側熱交換器９ｂ、背面側熱交換器９ｃにおいて、例えば冷媒との熱交換により冷却、加熱、除湿される。そして、前面側熱交換器９ｂ、背面側熱交換器９ｃを通過した後の空気は、貫流ファン７を通過し、ガイドウォール７ｃに導かれて吹出口３から部屋１０内に送り出される。吹出口３を通過する際、風向ベーン４により風向制御される。
【００２３】
以上のような構成の床置き型空気調和機においては、貫流ファン７とファンモータとを、奥行き方向において、本体奥行き方向中心よりも背面側に位置するように配設することで、空気調和機本体１が前面（正面側）へ転倒がしづらくなる。また、運転時における振動の発生を抑制することができ、部屋１０内における振動伝達音を抑制することができる。また、熱交換器９（前面側熱交換器９ｂ、背面側熱交換器９ｃ）を傾斜させて空気調和機本体１内に配設することで、高さに対する熱交換面積の割合を大きくすることができ、熱交換性能を向上させることができる。このため、省エネルギーをはかることができる。また、Ｖ字型熱交換器でかつ下部に配設されるドレンパン１１に対し、前面側及び背面側から空気を流入させることで空気の偏流を抑制する。そして、貫流ファン７（羽根車７ａ）におけるファン吸込分布を均一化することができ、低騒音で、ファンモータのトルクを低減することができる。さらに、前面パネル６をフラットパネルとし、格子が少ない（無い）ようにすることで、埃等が付いても除去しやすい。また、内部を見えないようにすることで、意匠性を高めることができる。そして、吹出口３の下部ディフューザー３ａが結露したときでも、空気調和機本体１外部への結露水の滴下を防止し、床１０ａを汚さず高品質を保つことができる。吹出口３を正面から上部かけて開口させるようにすることで、床面から天面まで無理なく風向制御することができる。このため、部屋１０全体の温度分布均一化、風が体に直接当たる不快感の抑制等をはかることができ、快適性を高めることができる。以上のことから、低騒音、省エネルギー、高意匠、高品質、高快適性を実現する床置き型空気調和機を得ることができる。
【００２４】
また、本実施の形態の空気調和機では、空気調和機本体１の高さ方向において、垂直距離Ｆがファン外径Ｄの４倍以下となっており、吸込口２は、前面吸込口２ｂ及び下方吸込口２ａを有している。このため、前面吸込口２ｂからの空気流入等、下方吸込口２ａから一挙に貫流ファン７近傍まで立ち上り、急激に吸い込まれるようなことがなく、貫流ファン７より背面側にある背面側熱交換器９ｃへも空気を流すことができるようになる。そして、熱交換器９における風速分布を均一化することができ、熱交換性能を向上させることができる。また、熱交換のための送風量が小さくなるため、ファンモータの消費電力を少なくすることができる。また、熱交換に係る冷媒流量も減らすことができるため、冷媒回路の冷媒を循環させる圧縮機（図示せず）の消費電力も少なくすることができる。よって、省エネルギーをはかることができる。
【００２５】
また、本実施の形態の空気調和機では、空気調和機本体１の高さ方向において、ファン外周円Ｄ１に接する２つの水平接線Ｌ１を上限位置、Ｌ２を下限位置とする範囲内に、前面パネル６の前面パネル開口部６ａを開口するように形成されているので、フィルタ１４に埃等が堆積して負荷が増大しても循環渦近傍に流れやすくなることで循環渦が安定するので逆吸込を防ぐことができる。このため、例えば冷房運転時において部屋１０内の高い温度の空気が貫流ファン７側へ逆流しないので結露を防ぐことができる。その結果、高品質な床置き型空気調和機を得ることができる。
【００２６】
また、本実施の形態の空気調和機の前面吸込口２ｂには導風壁６ｂが形成されているため、例えば空気調和機の正面、設置状態での上方等から見たときでも、開口部分から空気調和機本体１内部が見えないので、意匠性が良い床置き型空気調和機を得ることができる。
【００２７】
また、本実施の形態の熱交換器９においては、前面側熱交換器９ｂの方が背面側熱交換器９ｃより熱交換面積が大きくなるようにしたので、ファン循環渦側にある前面側熱交換器９ｂを、背面側熱交換器９ｃより熱交換面積が大きくすることで、吸込風量が多く循環渦が安定するようにしたので、貫流ファン７における挙動が安定し、流体異常音が発生しない。また、前面側熱交換器９ｂ下部を通過する空気の流れが背面側熱交換器９ｃからの流れに押しやられないので、熱交換器９における風速分布を均一化することができ、熱交換性能を向上させることができる。このとき、また、熱交換に係る冷媒流量も減らすことができるため、冷媒回路の冷媒を循環させる圧縮機（図示せず）の消費電力も少なくすることができる。よって、省エネルギーをはかることができる。この結果、異常音の発生を抑制し、高品質で省エネルギーの床置き型空気調和機を得ることができる。
【００２８】
また、本実施の形態においては、下方吸込口２ａの上端位置２ａ１がドレンパン下端１１ａよりも下方に位置させるようにし、下方吸込口２ａを通して熱交換器９、ドレンパン１１が見えないようにすることで、意匠性が高い床置き型空気調和機を得ることができる。
【００２９】
また、本実施の形態においては、ドレンパン前面側側壁１１ｂと前面パネル６（前面側風路壁面）の間の最近接距離Ｃ１と、ドレンパン背面側側壁１１ｃと背面側風路壁面１３との最近接距離Ｃ２との関係がＣ１＞Ｃ２となるようにすることで、前面側の風路面積が大きくなるようにでき、流入した空気が前面側へも流れやすくなり、貫流ファン７（羽根車７ａ）におけるファン吸込分布を均一化することができ、低騒音で、ファンモータのトルクを低減することができ、消費電力の低減が可能となる。よって、低騒音で省エネルギーの床置き型空気調和機を得ることができる。
【００３０】
また、本実施の形態の下方吸込口２ａは、床１０ａと対向するように空気調和機本体１の下面まで開口し、空気調和機本体１の正面視において、空気調和機本体１の両端部に土台１ｆが形成されるようにしたので、床１０ａ表面の埃等も吸い込むことができる。また、空気調和機を壁１０ｂの床１０ａ近傍へ設置するときに、下方からも吸い込むことができる。このとき、吸込面積を大きくし、通風抵抗を低減することができるので、低騒音の床置き型空気調和機を得ることができる。
【００３１】
また、本実施の形態の吹出口３における下部ディフューザー３ａの下流側端部３ｂに凹部３ｃを有するので、下部ディフューザー３ａが結露した場合でも凹部３ｃに結露水を保持することができる。このため、外部放出を防止することができ、品質向上がはかることができ、高品質な床置き型空気調和機を得ることができる。
【００３２】
また、本実施の形態のフィルタ１４は前面側熱交換器９ｂと背面側熱交換器９ｃへの風路で別体とし、背面側熱交換器９ｃ側のフィルタ１４は、前面側熱交換器９ｂ側に対して目の細かく集塵率を高くするようにしたので、床面の綿ボコリだけでなく細かな砂埃等も集塵可能で、高品質な床置き型空気調和機を得ることができる。
【００３３】
そして、空気調和機本体１の重心が空気調和機奥行き方向の少なくとも中央付近となるように構成したので、空気調和機を床１０ａに置くだけで設置固定することができる。例えば、背面側で壁１０ｂに固定しなくても自立することができるので、設置制約が解消され施工性が向上する。また運転時における振動を小さくすることができる。よって、高施工性で高品質な床置き型空気調和機を得ることができる。
【００３４】
実施の形態２．
図３はこの発明の実施の形態２の空気調和機本体の正面視横長方向略中央付近における貫流ファン７の回転軸に直交する縦断面を示す図である。本実施の形態の空気調和機は、本体背面１ｄ側において、実施の形態１では壁１０ｂに固定するために設けた背面取付板５の代わりに、背面パネル１５を取り付けるようにしたものである。背面パネル１５は、脱着可能な背面用パネル用フィルタ１４ｃ及び背面吸込開口部１６を有している。例えば、空気調和機本体１が壁１０ｂとの間隔を開けて床１０ａにのみ置くように設置した場合には、背面パネル１５の背面吸込開口部１６から空気を流入させることができる。このため、熱交換性能を向上させることができ、省エネルギーをはかることができる。
【００３５】
また、実施の形態１のように、空気調和機を壁１０ｂに取り付る場合であっても、背面パネル１５は空気調和機本体１に取り付けたまま、背面側風路壁面１３を閉鎖するようにすることで、実施の形態１と同様の設置形態も可能となる。このため設置条件を拡大することができる。よって、省エネルギーで高施工性の床置き型空気調和機を得ることができる。
【産業上の利用可能性】
【００３６】
この発明空気調和機の活用例として、空気調和機本体１は正面視で横長の直方体形態で、空気調和機本体が床面、又は床面近傍の壁に設置され、ファンに貫流ファンを用い空気調和機本体の横長方向に伸びる方向で配設され、少なくとも吹出口とファン及びファンモータは空気調和機本体の高さ方向上部に配設した床置き型空気調和機において、大容量熱交換器を本体を大型化することなく搭載可能で、風路内の通風抵抗を低減やファン動作の安定可能な風路形状とすることで、省エネ、静粛で、快適性や施工性が良く高品質な床置き型空気調和機を得ることができる。
【符号の説明】
【００３７】
１  空気調和機本体、１ａ  本体正面、１ｂ  本体側面、１ｃ  本体上面、１ｄ  本体背面、１ｅ  本体下面、１ｆ  本体土台、２ａ  下方吸込口、２ａ１  下方吸込口２ａの上端位置、２ｂ  前面吸込口、３  吹出口、３ａ  下部ディフューザー、３ｂ  下流側端部、３ｃ  凹部、４  風向ベーン、５  背面取付板、６  前面パネル、６ａ  前面パネル開口部、６ｂ  導風壁、７  貫流ファン、７ａ  羽根車、７ｂ  スタビライザー、７ｃ  ガイドウォール、７ｄ  リング、７ｅ  翼、９  熱交換器、９ａ  Ｖ字凸部、９ｂ  前面側熱交換器、９ｃ  背面側熱交換器、９ｄ  熱交換器下端部、１０  部屋、１０ａ  床、１０ｂ  壁、１１  ドレンパン、１１ａ  ドレンパン下端、１１ｂ  ドレンパン前面側側壁、１１ｃ  ドレンパン背面側側壁、１２ａ  前面側風路開口部、１２ｂ  背面側風路開口部、１３  風路背面側壁面、１４  フィルタ、１４ａ  前面熱交換器側フィルタ、１４ｂ  背面熱交換器側フィルタ、１４ｃ  背面パネル用フィルタ、１５  背面パネル、１６  背面吸込開口部、１７  室外機接続配管収納スペース、Ａ  ファン回転方向、Ｃ１  ドレンパン前面側側壁１１ａと前面パネル６の間の最近接距離、Ｃ２  ドレンパン背面側側壁１１ｃと背面側風路壁面１３との最近接距離、Ｄ  ファン外径、Ｄ１  ファン外周円、Ｅ１  吸込側風路、Ｅ２  吹出側風路、Ｆ  ファン回転軸中心Ｏと熱交換器９の下端部９ｄとの垂直高さ、Ｈ  空気調和機高さ、Ｌ１、Ｌ２  ファン外周円Ｄ１に接する２つの水平接線、Ｏ  ファン回転軸中心。
【図１】
2013150568.tif 000003
【図２】
2013150568.tif 000004
【図３】
2013150568.tif 000005
【手続補正書】
【提出日】平成26年9月25日(2014.9.25)
【手続補正１】
【補正対象書類名】明細書
【補正対象項目名】００１０
【補正方法】変更
【補正の内容】
【００１０】
本発明に係る床置き型空気調和機は、本体の前面側下部から本体内に空気を流入させる吸込開口部を有する下方吸込口と、本体内の空気を本体の上方に流出させる吹出開口部を有する吹出口と、本体内にあって空気調和を行う熱交換器と、本体内にあって、本体内に流入させた空気を、熱交換器を通過させて吹出口に導く流れを形成する貫流ファンと、本体の高さ方向において熱交換器よりも下側に位置し、結露に係る水を受けるドレンパンとを備え、貫流ファンは、本体の高さ方向において吹出口よりも下に、奥行き方向において本体中心よりも背面側の位置に設置し、熱交換器は、前面側に設置した前面側熱交換器と背面側に設置した背面側熱交換器との各下端部が接触又は接近してＶ字形状に形成し、貫流ファンが前面側熱交換器と背面側熱交換器との間に位置するように設置し、本体内において、下方吸込口から流入した空気がドレンパン前面側側壁部よりも前面側に形成されて前面側熱交換器に流入する空気の風路となる前面側風路とドレンパン背面側側壁部よりも背面側に形成されて背面側熱交換器に流入する空気の風路となる背面側風路とに分流する構成を有し、ドレンパン前面側側壁部と前面側風路壁面との最近接距離がドレンパン背面側側壁部と背面側風路壁面との最近接距離よりも大きいものである。
【手続補正２】
【補正対象書類名】特許請求の範囲
【補正対象項目名】全文
【補正方法】変更
【補正の内容】
【特許請求の範囲】
【請求項１】
本体の前面側下部から本体内に空気を流入させる吸込開口部を有する下方吸込口と、
前記本体内の空気を前記本体の上方に流出させる吹出開口部を有する吹出口と、
前記本体内にあって空気調和を行う熱交換器と、
前記本体内にあって、前記本体内に流入させた空気を、前記熱交換器を通過させて前記吹出口に導く流れを形成する貫流ファンと、
前記本体の高さ方向において前記熱交換器よりも下側に位置し、結露に係る水を受けるドレンパンとを備え、
前記貫流ファンは、前記本体の高さ方向において前記吹出口よりも下に、奥行き方向において本体中心よりも背面側の位置に設置し、
前記熱交換器は、前記前面側に設置した前面側熱交換器と背面側に設置した背面側熱交換器との各下端部が接触又は接近してＶ字形状に形成し、前記貫流ファンが前記前面側熱交換器と前記背面側熱交換器との間に位置するように設置し、
前記本体内において、前記下方吸込口から流入した空気がドレンパン前面側側壁部よりも前面側に形成されて前記前面側熱交換器に流入する空気の風路となる前面側風路とドレンパン背面側側壁部よりも背面側に形成されて前記背面側熱交換器に流入する空気の風路となる背面側風路とに分流する構成を有し、
前記ドレンパン前面側側壁部と前面側風路壁面との最近接距離が前記ドレンパン背面側側壁部と背面側風路壁面との最近接距離よりも大きい床置き型空気調和機。
【請求項２】
前記本体前面を覆う前面パネルにおいて、前記下方吸込口と前記吹出口との間に、前記本体内に空気を流入させる開口部を有する前面吸込口をさらに備え、
前記本体の高さ方向において、前記貫流ファンの回転軸中心と前記熱交換器の下端部との距離が前記貫流ファンの外径の４倍以下である請求項１記載の床置き型空気調和機。
【請求項３】
前記本体の高さ方向において、前記貫流ファンの外周円における上端及び下端の範囲内に前記前面吸込口の前記開口部が位置する請求項２記載の床置き型空気調和機。
【請求項４】
前記前面吸込口は、前記開口部の下部から前記本体内に略水平に伸びた後、上方に湾曲し前面パネル壁面と対向して上方に伸びる導風壁をさらに有する請求項２又は３記載の床置き型空気調和機。
【請求項５】
前記前面側熱交換器において前記空気が通過する面積が前記背面側熱交換器において前記空気が通過する面積よりも大きい請求項１〜４のいずれか一項に記載の床置き型空気調和機。
【請求項６】
前記本体の高さ方向において、前記下方吸込口の上端位置が、前記ドレンパンの下端よりも下方に位置する請求項１〜５のいずれか一項に記載の床置き型空気調和機。
【請求項７】
前記本体のファン上流背面側壁に、脱着可能なフィルタ及び吸込開口部を有する背面パネルをさらに備える請求項１〜６のいずれか一項に記載の床置き型空気調和機。
【請求項８】
前記下方吸込口の開口部は、前記本体の下面まで開口し、前記本体の左右側面下部に前記本体を支えるアーチ状の土台をさらに備える請求項１〜７のいずれか一項に記載の床置き型空気調和機。
【請求項９】
下部ディフューザーは、空気の流れにおいて下流側となる端部に凹部を有する請求項１〜８のいずれか一項に記載の床置き型空気調和機。
【請求項１０】
前記下方吸込口から前記前面側熱交換器に流入する空気の集塵を行う前面側フィルタと、
該前面側フィルタよりも目が細かく集塵率が高く、前記下方吸込口から前記背面側熱交換器に流入する空気の集塵を行う背面側フィルタと
をさらに備える請求項１〜９のいずれか一項に記載の床置き型空気調和機。
【請求項１１】
奥行き方向における重心の位置が略中央となるように前記本体内の機器を構成する請求項１〜１０のいずれか一項に記載の床置き型空気調和機。
【請求項１２】
前記前面パネルはフラットパネルである請求項２〜１１のいずれか一項に記載の床置き型空気調和機。
【国際調査報告】
2013150568.tif 000006
2013150568.tif 000007
2013150568.tif 000008
2013150568.tif 000009
2013150568.tif 000010
2013150568.tif 000011